(57)【要約】  （ａ）２０〜４９重量％の噴射剤と、（ｂ）２５〜５５重量％の水と、（ｃ）３〜１２重量％のグリコールアルキルエーテルと、（ｄ）エタノールおよびイソプロパノールからなる群から選択される２〜１２重量％のアルコールと、（ｄ）１．５〜５重量％の非イオン性界面活性剤と、（ｅ）０．３〜１．５重量％の増粘剤と、を含む、洗浄組成物。【特許請求の範囲】
【請求項１】
（ａ）２０〜４９重量％の噴射剤と、（ｂ）２５〜５５重量％の水と、（ｃ）３〜１２重量％のグリコールアルキルエーテルと、（ｄ）エタノールおよびイソプロパノールからなる群から選択される２〜１２重量％のアルコールと、（ｄ）１．５〜５重量％の非イオン性界面活性剤と、（ｅ）０．３〜１．５重量％の増粘剤と、を含む、洗浄組成物。
【請求項２】
前記増粘剤が、セルロースアルキルエーテル、セルロースヒドロキシアルキルエーテル、またはそれらの組み合わせである、請求項１に記載の洗浄組成物。
【請求項３】
前記グリコールアルキルエーテルが、７〜１２個の炭素原子を有する、請求項２に記載の洗浄組成物。
【請求項４】
前記非イオン性界面活性剤が、８〜１８個の炭素原子および５〜１５個の重合エチレンオキシド残基を有するアルキル基を有する、請求項３に記載の洗浄組成物。
【請求項５】
前記噴射剤が、大気圧下で−５０℃〜０℃の沸点を有する、請求項４に記載の洗浄組成物。
【請求項６】
（ａ）２３〜４３重量％の噴射剤と、
（ｂ）３５〜５３重量％の水と、（ｃ）３〜１０重量％のグリコールアルキルエーテルと、（ｄ）３〜１０重量％のエタノールと、（ｄ）３〜４．５重量％の非イオン性界面活性剤と、（ｅ）０．３５〜１重量％の増粘剤と、を含む、請求項５に記載の洗浄組成物。
【請求項７】
前記増粘剤が、ヒドロキシエチルセルロースである、請求項６に記載の洗浄組成物。
【請求項８】
前記グリコールアルキルエーテルが、８〜１１個の炭素原子を有し、アルキル基が、２〜５個の炭素原子を有する、請求項７に記載の洗浄組成物。
【請求項９】
前記非イオン性界面活性剤が、１０〜１６個の炭素原子および８〜１０個の重合エチレンオキシド残基を有するアルキル基を有する、請求項８に記載の洗浄組成物。
【請求項１０】
前記噴射剤が、プロパンとブタンとの混合物である、請求項９に記載の洗浄組成物。
【発明の詳細な説明】
【技術分野】
【０００１】
本発明は、クラックリング音および／または発泡性を示すゲルまたは発泡体を形成する布地ケア組成物に関する。
【０００２】
液化ガスを含有する水性系は、例えば、ＪＰ２００９／２８６７３４において知られている。しかしながら、この参考文献は、大量の液化ガスを使用しており、皮膚に適用されている。この参考文献は、本明細書で特許請求される洗浄組成物を示唆していない。
【発明の概要】
【０００３】
本発明は、（ａ）２０〜４９重量％の噴射剤と、（ｂ）２５〜５５重量％の水と、（ｃ）３〜１２重量％のグリコールアルキルエーテルと、
（ｄ）エタノールおよびイソプロパノールからなる群から選択される２〜１２重量％のアルコールと、（ｄ）１．５〜５重量％の非イオン性界面活性剤と、（ｅ）０．３〜１．５重量％の増粘剤と、を含む洗浄組成物を提供する。
【発明を実施するための形態】
【０００４】
特に指定しない限り、パーセンテージは、重量パーセンテージ（重量％）であり、温度は、℃である。特に指定しない限り、操作は、室温（２０〜２５℃）で実行された。成分の重量パーセントは、使用される成分の重量に基づいており、例えば、市販の界面活性剤製品中に存在し得る任意の水を含む界面活性剤の重量％が計算される。アルキル基は、直鎖または分岐鎖であり得る飽和Ｃ１−Ｃ２０ヒドロカルビル基である。アラルキル基は、アルキル鎖および芳香環（好ましくは、ベンゼン環）を有し、アルキル炭素またはアリール炭素のいずれかを介して結合し得る置換基である。
【０００５】
噴射剤は、２０℃および大気圧（１０１ｋＰａ）下で気相に存在する材料である。好ましくは、噴射剤は、大気圧下で、−５０℃以上、好ましくは−４５℃以上、好ましくは１５℃以下、好ましくは１０℃以下、好ましくは５℃以下、好ましくは０℃以下の沸点を有する。噴射剤の混合物が使用され得る。好ましい噴射剤としては、アルカン、特にｎ−ブタン、プロパンイソブタン、およびそれらの混合物が挙げられる。特に好ましい噴射剤は、好ましくは４：１〜１：４、好ましくは３：１〜１：３、好ましくは２：１〜１：２の比のｎ−ブタンとプロパンとの混合物である。好ましくは、本組成物は、少なくとも２３重量％、好ましくは少なくとも２６重量％、好ましくは少なくとも３０重量％、好ましくは４６重量％以下、好ましくは４３重量％以下、好ましくは４０重量％以下、好ましくは３７重量％以下の噴射剤を含む。
【０００６】
好ましくは、グリコールアルキルエーテルは、６〜１５個、好ましくは少なくとも７個、好ましくは少なくとも８個、好ましくは１２個以下、好ましくは１１個以下、好ましくは１０個以下の炭素原子を有する。好ましくは、グリコールアルキルエーテルは、モノ−アルキルエーテルである。好ましくは、グリコールアルキルエーテルは、２個または３個のエチレンオキシド（ＥＯ）またはプロピレンオキシド（ＰＯ）単位、すなわち、ジ−またはトリ−グリコールを形成するように反応したＥＯまたはＰＯの分子、好ましくは２個のＥＯまたはＰＯ単位を有する。重合したＥＯまたはＰＯ単位の数は、数平均である。好ましくは、グリコールアルキルエーテル中のアルキル基は、２〜６個、好ましくは少なくとも３個、好ましくは５個以下、好ましくは４個以下の炭素原子を有する。特に好ましいアルキルグリコールエーテルとしては、ジプロピレングリコールモノ−ｎ−プロピルエーテルおよびジプロピレングリコールモノ−ｎ−ブチルエーテルが挙げられる。好ましくは、本組成物は、少なくとも４重量％、好ましくは少なくとも５重量％、好ましくは少なくとも６重量％、好ましくは１１重量％以下、好ましくは１０重量％以下、好ましくは９．５重量％以下のグリコールアルキルエーテル（複数可）を含む。
【０００７】
好ましくは、本組成物は、少なくとも３重量％、好ましくは少なくとも４重量％、好ましくは少なくとも４．５重量％、好ましくは少なくとも５重量％、好ましくは１１重量％以下、好ましくは１０重量％以下、好ましくは９．５重量％以下のアルコールを含む。好ましくは、アルコールはエタノールである。
【０００８】
好ましくは、非イオン性界面活性剤は、８〜１８個の炭素原子および３〜１５個の重合エチレンオキシド残基を有するアルキルまたはアラルキル基を有する。好ましくは、非イオン性界面活性剤は、アラルキル基よりもむしろアルキル基を有する。好ましくは、非イオン性界面活性剤は、少なくとも５個、好ましくは少なくとも７個、好ましくは１２個以下、好ましくは１１個以下、好ましくは１０個以下の重合エチレンオキシド残基を有する。重合エチレンオキシド残基の数は、数平均である。好ましくは、非イオン性界面活性剤は、少なくとも１０個、好ましくは少なくとも１２個、好ましくは１６個以下、好ましくは１４個以下の炭素原子を有するアルキル基を有する。アルキル基は、異なる鎖長、例えば、Ｃ１２−Ｃ１４の混合物であり得る。好ましくは、アルキル基は、分岐している。好ましい実施形態では、１〜６個、好ましくは３〜５個のプロピレンオキシドの重合単位が、アルキル基と重合エチレンオキシド単位との間に存在する。好ましくは、本組成物は、少なくとも２重量％、好ましくは少なくとも２．５重量％、好ましくは少なくとも３重量％、好ましくは４．５重量％以下、好ましくは４重量％以下の非イオン性界面活性剤（複数可）を含む。
【０００９】
好ましくは、増粘剤は、セルロースエーテル、アルカリ膨潤性エマルジョンポリマー、疎水変性アルカリ膨潤性エマルジョンポリマー、疎水変性ウレタン、グアー、ガムである。好ましくは、増粘剤は、セルロースエーテルである。好ましくは、セルロースエーテルは、アルキルエーテル、ヒドロキシアルキルエーテル、またはそれらの組み合わせである。好ましくは、セルロースエーテルは、ヒドロキシルの酸素原子に結合したＣ１−Ｃ４アルキルおよび／またはヒドロキシアルキル基を含む。好ましくは、増粘剤は、ヒドロキシエチルセルロースである。好ましくは、増粘剤は、２重量％水溶液に対して、５００〜１５，０００ＭＰａ・ｓ、好ましくは２，０００〜１０，０００の粘度を有する。好ましくは、本組成物は、少なくとも０．３５重量％、好ましくは少なくとも４重量％、好ましくは少なくとも０．５重量％、好ましくは少なくとも０．５５重量％、好ましくは１．３重量％以下、好ましくは１重量％以下、好ましくは０．８重量％以下の増粘剤（複数可）を含む。
【００１０】
好ましくは、本組成物は、少なくとも３０重量％、好ましくは少なくとも３５重量％、好ましくは少なくとも４０重量％、好ましくは５３重量％以下、好ましくは５１重量％以下の水を含む。
【００１１】
本組成物はまた、キレート剤（例えば、クエン酸ナトリウム）、防腐剤（例えば、ＢＨＴ）、脂肪酸の塩、アニオン性界面活性剤（例えば、ラウレス硫酸ナトリウム）、過酸化水素、中和剤（水酸化ナトリウム、ＭＥＡ、ＴＥＡ）、酵素、香水を含むがこれらに限定されない様々な他の任意の成分も含む。
【００１２】
好ましくは、本組成物は、缶中で大気圧より高い圧力下で貯蔵される。好ましくは、本組成物は、布地または他の無生物表面に適用され、皮膚には適用されない。本発明はまた、好ましくは室温で、本組成物を布地に適用することによって布地を洗浄するための方法を対象とする。
【実施例】
【００１３】
実施例１：
【００１４】
【表１】
2019536844.tif 000002
【００１５】
ジュースの配合：
ビーカーに、ＤＩ水を添加し、機械的な攪拌下で、粉末ＣＥＬＬＯＳＩＺＥ  ＱＰ４４００Ｈをゆっくり添加した中に渦を作る。混合物は、濁っている。
ＣＥＬＬＯＳＩＺＥ  ＱＰ４４００Ｈが完全に水和するまで待つ（３時間以内）。混合物は、透明でより粘性がある。
ＴＥＲＧＩＴＯＬ１５−Ｓ−９を添加し（混合物は透明なままである）、次いで、濁りを発生し、粘度を低下させるＤＯＷＡＮＯＬ、ＤＰｎＰ、またはＤＯＷＡＮＯＬ  ＤＰｎＢを添加する。
ＥｔＯＨを添加すると、配合物は再び透明になる。
【００１６】
缶詰め
缶には４５ｇのジュースが充填されている。次いで、缶を特定のエアロゾルキャップでセットする。
エアロゾルを２．５バールに加圧したｎ−ブタン／プロパンボトルで充填する。
エアロゾル中のガスの量が十分でない場合、エアロゾルを１５〜２０分の間冷凍庫に入れる。
この時間の後、ガス充填を終了した。
【００１７】
一次洗浄：
前処理段階：
すべての汚れが同じ表面および形状を有するように、ブラシおよび刷り込み型を用いて６つの粉塵皮脂エマルジョン（ＣＦＴ社によって供給される、コード０２０）の円形の汚れを綿（枕ケース、Ｗｆｋ社からのコードＴ１３）に適用した。
汚れを乾燥させるために、２時間の間、室温（２２℃）で保存した。
次いで、５秒間の間、ボタンを押すことによって、いくつかの汚れをエアロゾル配合物Ａ、Ｂ、またはＣのいずれかで処理した。
２時間待った後、スパチュラを使用して、綿布の表面からエアロゾル配合物／汚れシステムを除去した。
【００１８】
ゲル系配合物Ａは、ムース系配合物Ｂおよび液体系配合物Ｃと比較して、より大量の汚れの除去を可能にする。
【００１９】
洗浄段階
一次洗浄性能試験を、３０℃、３０分ショートプログラム、１０００ｒｐｍに設定され、３０°ＴＨに調整された水硬度、３．５ｋｇのバラスト布地が装填された、Ｍｉｅｌｅ製のヨーロッパ型洗濯機である、モデルＮＯＶＯＴＲＯＮＩＣ  Ｗ１６１４で行う。
一次洗浄性能試験を、Ｗｆｋ社からの枕ケース綿コードＴ１３上の汚れに関して、１回の洗浄サイクル後に測定する。
【００２０】
各洗濯機にはバラスト布地および汚れが装填されており、４０ｇの標準的な洗剤モデルＥＣＥ−２（堅牢度試験用には、Ｔｅｓｔｇｅｗｅｅ  ＧｍｂＨからのａｃｃ／ＩＳＯ１０５−Ｃ０８／Ｃ０９、フォスフェートではない）を添加する。
【００２１】
洗浄してライン乾燥させた後、各汚れを６つの異なる領域で測定する。
Ｋｏｎｉｃａ  Ｍｉｎｏｌｔａの分光光度計、モデルＣＲ２６００ｄを使用して反射率Ｙ（Ｄ６５）を測定する。Ｙ値が高いと、汚れ除去も高い。
【００２２】
【表２】
2019536844.tif 000003
【００２３】
結論：
異なる質感を有するいくつかのプレスポッターエアロゾルを作り出すことができた：クラックリングゲル（配合物Ａ）、クラックリングムース（配合物Ｂ）、およびクラックリング液体（配合物Ｃ）。
配合物Ａで前処理された粉塵皮脂エマルジョンの汚れは、配合物ＢおよびＣで前処理された汚れと比較して著しく良く洗浄される。クラックリングゲルシステムは、布地から汚れを「引き出す」のに役立ち、セルフスクラブ効果を可能にする。
【００２４】
実施例２：
ジュース配合および缶詰めの手順は、実施例１と同一である。
【００２５】
【表３】
2019536844.tif 000004
【００２６】
前処理段階：
すべての汚れが同じ表面および形状、ならびに同じ重量：０．９ｇを有するように、ブラシおよび刷り込み型を用いて粉塵皮脂エマルジョン（ＣＦＴ社によって供給される、コード０２０）の円形の汚れを綿（枕ケース、Ｗｆｋ社からのコードＴ１３）に適用した。枕ケースあたり９個の汚れを適用し、配合物あたり４回反復する。
【００２７】
汚れを乾燥させるために３時間の間、室温（２２℃）で保存した。次いで、いくつかの汚れをエアロゾル配合物１、２、３、または４のいずれかで処理した。次いで、エアロゾル配合物を２０分間汚れと接触させた。
【００２８】
次いで、綿布の表面からエアロゾル配合物／汚れシステムを除去するためにスパチュラが必要であった。
【００２９】
洗浄段階
一次洗浄性能試験を、３０℃、３０分ショートプログラム、１０００ｒｐｍに設定され、３０°ＴＨに調整された水硬度、３．５ｋｇのバラスト布地が装填された、Ｍｉｅｌｅ製のヨーロッパ型洗濯機である、モデルＮｏｖｏｔｒｏｎｉｃ  Ｗ１６１４で行う。
一次洗浄性能試験を、Ｗｆｋ社からの枕ケース綿コードＴ１３上の汚れに関して、１回の洗浄サイクル後に測定する。
【００３０】
各洗濯機にはバラスト布地および汚れが装填されており、４０ｇの標準的な洗剤モデルＥＣＥ−２（堅牢度試験用には、Ｔｅｓｔｇｅｗｅｅ  ＧｍｂＨからのａｃｃ／ＩＳＯ１０５−Ｃ０８／Ｃ０９、フォスフェートではない）を添加する。
【００３１】
洗浄してライン乾燥させた後、各汚れを６つの異なる領域で測定する。
Ｋｏｎｉｃａ  Ｍｉｎｏｌｔａの分光光度計、モデルＣＲ２６００ｄを使用して反射率Ｙ（Ｄ６５）を測定する。Ｙ値が高いと、汚れ除去も高い。
【００３２】
【表４】
2019536844.tif 000005
【００３３】
結論：
プレスポッター配合物から成分を除去すると、汚れ除去性能が低下する。この成分の組み合わせは関連している。
【００３４】
実施例３：
ジュース配合および缶詰めの手順は、実施例１と同一である。
【００３５】
前処理段階：
すべての汚れが同じ表面および形状、ならびに同じ重量：０．４ｇを有するように、ブラシおよび刷り込み型を用いて粉塵皮脂エマルジョンの円形の汚れを綿（枕ケース、Ｗｆｋ社からのコードＴ１３）に適用した。枕ケースあたり９個の汚れを適用し、配合物あたり２つの複製を使用した。汚れを一晩乾燥させる。２グラムのプレスポッター配合物を汚れに適用し、２０分間放置する。
【００３６】
汚れを擦り落とさず、かつ洗剤を使用せずに、プレスポッターの一次洗剤のみを評価する。
【００３７】
布地を３０℃、１０００ｔｒ／分で、洗剤を使用せず、３０°ＴＨの水硬度で、バラストと共に１回洗浄する。布地を、暗所で乾燥させ、性能を分光比色計を使用して反射率測定によって研究する。
【００３８】
プレスポッター性能に対する非イオン性界面活性剤の影響。
【００３９】
【表５】
2019536844.tif 000006
【００４０】
【表６】
2019536844.tif 000007
【００４１】
結論：
一次洗浄性能は、プレスポッターに添加される界面活性剤の量と共に向上し、これはまた、クラックリングゲルの視覚的粘度および発泡性にも関連している。
【００４２】
一次洗浄に対するレオロジー調整剤の影響
【００４３】
【表７】
2019536844.tif 000008
【００４４】
【表８】
2019536844.tif 000009
【００４５】
結論：
一次洗浄性能は、プレスポッターに添加されるレオロジー調整剤の量と共に向上し、これはまた、クラックリングゲルの視覚的粘度および発泡性にも関連している。
【００４６】
一次洗浄に対する噴射剤の影響
【００４７】
【表９】
2019536844.tif 000010
【００４８】
【表１０】
2019536844.tif 000011
【００４９】
結論：
噴射剤がプレスポッター中に存在すると、一次洗浄性能が向上する。一次洗浄性能はまた、クラックリングゲルの視覚的粘性および発泡性にも関連している。
【国際調査報告】
2019536844.tif 000012
2019536844.tif 000013
2019536844.tif 000014